(57)【特許請求の範囲】
【請求項１】
無線通信のための方法であって、
サブフレームのセットを、第１のユーザ機器（ＵＥ）のため、マルチキャスト／ブロードキャスト単一周波数ネットワーク（ＭＢＳＦＮ）サブフレームとして宣言することと、
前記サブフレームのセットをＭＢＳＦＮサブフレームとして伝送するためにシグナリングを送信することと、
前記サブフレームのセットのフォーマットを動的に選択することと、ここで、おのおののサブフレームのフォーマットは、複数のフォーマットから選択される、
前記選択されたフォーマットに基づいて、前記サブフレームのセットで送信することと
を備え、
前記サブフレームのセットのフォーマットを動的に選択することは、前記選択されたフォーマットを第２のＵＥへ伝送するためにシグナリングを送信することなく、前記第２のＵＥのため、サブフレームのセットのフォーマットを動的に選択することを備える、方法。
【請求項２】
前記複数のフォーマットは、少なくとも１つのレギュラー・サブフレーム・フォーマット、または、少なくとも１つのマルチキャスト／ブロードキャスト単一周波数ネットワーク（ＭＢＳＦＮ）サブフレーム・フォーマット、または、少なくとも１つのブランク・サブフレーム・フォーマット、または、少なくとも１つの新たなサブフレーム・フォーマット、または、これらの組み合わせを備える、請求項１に記載の方法。
【請求項３】
前記少なくとも１つのレギュラー・サブフレーム・フォーマットは、サブフレームの４つのシンボル期間に送信されるセル特定基準信号（ＣＲＳ）を有する第１のレギュラー・サブフレーム・フォーマット、または、サブフレームの６つのシンボル期間に送信されるＣＲＳを有する第２のレギュラー・サブフレーム・フォーマット、または、これら両方を備える、請求項２に記載の方法。
【請求項４】
前記少なくとも１つのＭＢＳＦＮサブフレーム・フォーマットは、サブフレームの１つのシンボル期間に送信されるセル特定基準信号（ＣＲＳ）を有する第１のＭＢＳＦＮサブフレーム・フォーマット、または、サブフレームの２つのシンボル期間に送信されるＣＲＳを有する第２のＭＢＳＦＮサブフレーム・フォーマット、または、これら両方を備える、請求項２に記載の方法。
【請求項５】
前記サブフレームのセットのフォーマットを動的に選択することは、サブフレーム毎ベースで、前記サブフレームのセットのフォーマットを選択することを備える、請求項１に記載の方法。
【請求項６】
前記サブフレームのセットで送信することは、ＭＢＳＦＮサブフレーム・フォーマットに基づいて、前記サブフレームのセットにおけるおのおののサブフレームで、セル特有基準信号（ＣＲＳ）を送信することを備える、請求項１に記載の方法。
【請求項７】
前記複数のフォーマットは、少なくとも１つのマルチキャスト／ブロードキャスト単一周波数ネットワーク（ＭＢＳＦＮ）サブフレーム・フォーマットと、少なくとも１つのブランク・サブフレーム・フォーマットとを備え、
前記サブフレームのセットのフォーマットを動的に選択することは、ＭＢＳＦＮサブフレームを受信することを期待しているユーザ機器（ＵＥ）の数、または前記ＵＥのアクティビティ・レベル、またはこれら両方に基づいて、前記サブフレームのセットにおけるおのおののサブフレームのうち、ＭＢＳＦＮサブフレーム・フォーマットまたはブランク・サブフレーム・フォーマットを選択することを備える、請求項１に記載の方法。
【請求項８】
前記サブフレームのセットは、第１のユーザ機器（ＵＥ）のため、レギュラー・サブフレームとして指定され、第２のＵＥのため、マルチキャスト／ブロードキャスト単一周波数ネットワーク（ＭＢＳＦＮ）サブフレーム、またはブランク・サブフレーム、または新たなサブフレーム、またはこれらの組み合わせとして設定される、請求項１に記載の方法。
【請求項９】
前記サブフレームのセットのフォーマットを動的に選択することは、前記サブフレームのセットにおけるサブフレームを、レギュラー・サブフレームとして再設定することを備える、請求項８に記載の方法。
【請求項１０】
第１のＵＥのためのページを受信することと、
前記ページを受信することに応答して、前記サブフレームのセットにおけるサブフレームを、レギュラー・サブフレームとして再設定することと、
前記ページを前記サブフレームで、前記第１のＵＥへ送信することと
をさらに備える、請求項８に記載の方法。
【請求項１１】
前記サブフレームのセットにおける各サブフレームの前に、第１のＵＥを不連続受信（ＤＲＸ）モードにすることをさらに備える、請求項８に記載の方法。
【請求項１２】
前記サブフレームのセットは、周波数分割デュプレクス（ＦＤＤ）の場合、サブフレーム０、４、５、９のうちの少なくとも１つ、または、時分割デュプレクス（ＴＤＤ）の場合、サブフレーム０、１、５、６のうちの少なくとも１つを含む、請求項８に記載の方法。
【請求項１３】
無線通信のための装置であって、
サブフレームのセットを、第１のユーザ機器（ＵＥ）のため、マルチキャスト／ブロードキャスト単一周波数ネットワーク（ＭＢＳＦＮ）サブフレームとして宣言する手段と、
前記サブフレームのセットをＭＢＳＦＮサブフレームとして伝送するためにシグナリングを送信する手段と、
前記サブフレームのセットのフォーマットを動的に選択する手段と、ここで、おのおののサブフレームのフォーマットは、複数のフォーマットから選択される、
前記選択されたフォーマットに基づいて、前記サブフレームのセットで送信する手段と
を備え、
前記サブフレームのセットのフォーマットを動的に選択する手段は、前記選択されたフォーマットを第２のＵＥへ伝送するためにシグナリングを送信することなく、前記第２のＵＥのため、サブフレームのセットのフォーマットを動的に選択する手段を備える、装置。
【請求項１４】
前記複数のフォーマットは、少なくとも１つのレギュラー・サブフレーム・フォーマット、または、少なくとも１つのマルチキャスト／ブロードキャスト単一周波数ネットワーク（ＭＢＳＦＮ）サブフレーム・フォーマット、または、少なくとも１つのブランク・サブフレーム・フォーマット、または、少なくとも１つの新たなサブフレーム・フォーマット、または、これらの組み合わせを備える、請求項１３に記載の装置。
【請求項１５】
前記サブフレームのセットのフォーマットを動的に選択する手段は、サブフレーム毎ベースで、前記サブフレームのセットのフォーマットを選択する手段を備える、請求項１３に記載の装置。
【請求項１６】
前記サブフレームのセットは、第１のユーザ機器（ＵＥ）のため、レギュラー・サブフレームとして指定され、第２のＵＥのため、マルチキャスト／ブロードキャスト単一周波数ネットワーク（ＭＢＳＦＮ）サブフレーム、またはブランク・サブフレーム、または新たなサブフレーム、またはこれらの組み合わせとして設定される、請求項１３に記載の装置。
【請求項１７】
無線通信のための装置であって、
サブフレームのセットを、第１のユーザ機器（ＵＥ）のため、マルチキャスト／ブロードキャスト単一周波数ネットワーク（ＭＢＳＦＮ）サブフレームとして宣言し、
前記サブフレームのセットをＭＢＳＦＮサブフレームとして伝送するためにシグナリングを送信し、
前記サブフレームのセットのフォーマットを動的に選択し、ここで、おのおののサブフレームのフォーマットは、複数のフォーマットから選択される、
前記選択されたフォーマットに基づいて、前記サブフレームのセットで送信する、
ように構成された少なくとも１つのプロセッサを備え、
前記少なくとも１つのプロセッサはさらに、前記サブフレームのセットのフォーマットを動的に選択する場合、前記選択されたフォーマットを第２のＵＥへ伝送するためにシグナリングを送信することなく、前記第２のＵＥのため、サブフレームのセットのフォーマットを動的に選択するように構成された、装置。
【請求項１８】
前記複数のフォーマットは、少なくとも１つのレギュラー・サブフレーム・フォーマット、または、少なくとも１つのマルチキャスト／ブロードキャスト単一周波数ネットワーク（ＭＢＳＦＮ）サブフレーム・フォーマット、または、少なくとも１つのブランク・サブフレーム・フォーマット、または、少なくとも１つの新たなサブフレーム・フォーマット、または、これらの組み合わせを備える、請求項１７に記載の装置。
【請求項１９】
前記少なくとも１つのプロセッサは、サブフレーム毎ベースで、前記サブフレームのセットのフォーマットを選択するように構成された、請求項１７に記載の装置。
【請求項２０】
前記サブフレームのセットは、第１のユーザ機器（ＵＥ）のため、レギュラー・サブフレームとして指定され、第２のＵＥのため、マルチキャスト／ブロードキャスト単一周波数ネットワーク（ＭＢＳＦＮ）サブフレーム、またはブランク・サブフレーム、または新たなサブフレーム、またはこれらの組み合わせとして設定される、請求項１７に記載の装置。
【請求項２１】
少なくとも１つのコンピュータに対して、サブフレームのセットを、第１のユーザ機器（ＵＥ）のため、マルチキャスト／ブロードキャスト単一周波数ネットワーク（ＭＢＳＦＮ）サブフレームとして宣言させるためのコードと、
前記少なくとも１つのコンピュータに対して、前記サブフレームのセットをＭＢＳＦＮサブフレームとして伝送するためにシグナリングを送信させるためのコードと、
前記少なくとも１つのコンピュータに対して、前記サブフレームのセットのフォーマットを動的に選択させるためのコードと、ここで、おのおののサブフレームのフォーマットは、複数のフォーマットから選択される、
前記少なくとも１つのコンピュータに対して、前記選択されたフォーマットに基づいて、前記サブフレームのセットで送信させるためのコードと、
を記録したコンピュータ読取可能な記録媒体であって、
前記少なくとも１つのコンピュータに対して、前記サブフレームのセットのフォーマットを動的に選択させるためのコードは、前記少なくとも１つのコンピュータに対して、前記選択されたフォーマットを第２のＵＥへ伝送するためにシグナリングを送信することなく、前記第２のＵＥのため、サブフレームのセットのフォーマットを動的に選択させるためのコードを備える、
コンピュータ読取可能な記録媒体。
【請求項２２】
無線通信のための方法であって、
複数のフォーマットから動的に選択されたフォーマットを有するサブフレームを受信することと、ここで、前記サブフレームは、第１のユーザ機器（ＵＥ）のため、マルチキャスト／ブロードキャスト単一周波数ネットワーク（ＭＢＳＦＮ）サブフレームとして宣言され、第２のＵＥのため、動的に設定可能である、
前記サブフレームのフォーマットを示すシグナリングを受信しないことと、
前記サブフレームで送信された少なくとも１つの送信を復元するために、前記複数のフォーマットのうちの少なくとも１つに基づいて、前記サブフレームを処理することと
を備える方法。
【請求項２３】
前記複数のフォーマットは、少なくとも１つのレギュラー・サブフレーム・フォーマット、または、少なくとも１つのマルチキャスト／ブロードキャスト単一周波数ネットワーク（ＭＢＳＦＮ）サブフレーム・フォーマット、または、少なくとも１つのブランク・サブフレーム・フォーマット、または、少なくとも１つの新たなサブフレーム・フォーマット、または、これらの組み合わせを備える、請求項２２に記載の方法。
【請求項２４】
前記サブフレームを処理することは、
一度に、前記複数のフォーマットのうちの１つに基づいて、前記サブフレームを処理することと、
前記少なくとも１つの送信が前記サブフレームから復元された場合、前記サブフレームの処理を終了させることと
を備える、請求項２２に記載の方法。
【請求項２５】
前記サブフレームを処理することは、
ユーザ機器（ＵＥ）のためのダウンリンク許可を検出するために、前記サブフレームの第１の部分を処理することと、
前記サブフレームの第１の部分から取得された場合、前記ダウンリンク許可に基づいて、前記サブフレームの第２の部分を処理することと、
前記ダウンリンク許可が、前記サブフレームの第１の部分から取得されない場合、前記サブフレームの第２の部分をスキップすることと
を備える、請求項２２に記載の方法。
【請求項２６】
無線通信のための装置であって、
複数のフォーマットから動的に選択されたフォーマットを有するサブフレームを受信する手段と、ここで、前記サブフレームは、第１のユーザ機器（ＵＥ）のため、マルチキャスト／ブロードキャスト単一周波数ネットワーク（ＭＢＳＦＮ）サブフレームとして宣言され、第２のＵＥのため、動的に設定可能である、
前記サブフレームのフォーマットを示すシグナリングを受信しない手段と、
前記サブフレームで送信された少なくとも１つの送信を復元するために、前記複数のフォーマットのうちの少なくとも１つに基づいて、前記サブフレームを処理する手段と
を備える装置。
【請求項２７】
前記サブフレームを処理する手段は、
一度に、前記複数のフォーマットのうちの１つに基づいて、前記サブフレームを処理する手段と、
前記少なくとも１つの送信が前記サブフレームから復元された場合、前記サブフレームの処理を終了させる手段と
を備える、請求項２６に記載の装置。
【請求項２８】
前記サブフレームを処理する手段は、
ユーザ機器（ＵＥ）のためのダウンリンク許可を検出するために、前記サブフレームの第１の部分を処理する手段と、
前記サブフレームの第１の部分から取得された場合、前記ダウンリンク許可に基づいて、前記サブフレームの第２の部分を処理する手段と、
前記ダウンリンク許可が、前記サブフレームの第１の部分から取得されない場合、前記サブフレームの第２の部分をスキップする手段と
を備える、請求項２６に記載の装置。
【請求項２９】
無線通信のための装置であって、
複数のフォーマットから動的に選択されたフォーマットを有するサブフレームを受信し、ここで、前記サブフレームは、第１のユーザ機器（ＵＥ）のため、マルチキャスト／ブロードキャスト単一周波数ネットワーク（ＭＢＳＦＮ）サブフレームとして宣言され、第２のＵＥのため、動的に設定可能である、
前記サブフレームのフォーマットを示すシグナリングを受信せず、
前記サブフレームで送信された少なくとも１つの送信を復元するために、前記複数のフォーマットのうちの少なくとも１つに基づいて、前記サブフレームを処理する
ように構成された少なくとも１つのプロセッサを備える、装置。
【請求項３０】
コンピュータ読取可能な記録媒体であって、
少なくとも１つのコンピュータに対して、複数のフォーマットから動的に選択されたフォーマットを有するサブフレームを受信させるためのコードと、ここで、前記サブフレームは、第１のユーザ機器（ＵＥ）のため、マルチキャスト／ブロードキャスト単一周波数ネットワーク（ＭＢＳＦＮ）サブフレームとして宣言され、第２のＵＥのため、動的に設定可能である、
前記少なくとも１つのコンピュータに対して、前記サブフレームのフォーマットを示すシグナリングを受信させないためのコードと、
前記少なくとも１つのコンピュータに対して、前記サブフレームで送信された少なくとも１つの送信を復元するために、前記複数のフォーマットのうちの少なくとも１つに基づいて、前記サブフレームを処理させるためのコードと
を記録したコンピュータ読取可能な記録媒体。
【発明の詳細な説明】
【優先権の主張】
【０００１】
本願は、本願の譲受人に譲渡され、本明細書において参照によって組み込まれている、「通常のサブフレームと特別なサブフレームとの間における動的な選択を可能にするための方法および装置」（Method and Apparatus to Enable Dynamic Selection Between Normal and Special Subframes）と題された、２００９年５月２８日出願の米国仮出願番号６１／１８２，００７に対する優先権を主張する。
【技術分野】
【０００２】
本開示は、一般に、通信に関し、さらに詳しくは、無線ネットワークにおける通信をサポートするための技術に関する。
【背景技術】
【０００３】
無線通信ネットワークは、例えば音声、ビデオ、パケット・データ、メッセージング、ブロードキャスト等のようなさまざまな通信コンテンツを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）シネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。基地局は、異なるタイプのＵＥのための通信をサポートしうる。ＵＥの各タイプは、一定の機能を有し、基地局からの一定の送信を期待する。異なるタイプのＵＥのために、効率的な方式での通信をサポートすることが望ましい。
【発明の概要】
【０００５】
本明細書では、無線ネットワークにおいて、サブフレーム・フォーマットを動的に選択する技術が記述されている。態様では、基地局は、異なるタイプのＵＥのための通信をより効率的にサポートするために、異なるサブフレーム・フォーマット（または、異なるタイプのサブフレーム）間の動的な切り換えを行うことができる。おのおののサブフレーム・フォーマットは、ある方式で送信される一定のチャネルおよび／または信号に関連付けられうる。
【０００６】
１つの設計では、基地局は、第１の／レガシーＵＥのためのマルチキャスト／ブロードキャスト単一周波数ネットワーク（ＭＢＳＦＮ）サブフレームとして、サブフレームのセットを宣言しうる。基地局は、このサブフレームのセットを、ＭＢＳＦＮサブフレームとして伝送するために、レガシーＵＥへシグナリングを送信しうる。基地局は、例えばサブフレーム毎ベースで、第２の／新たなＵＥのためのサブフレームのセットのフォーマットを動的に選択しうる。おのおののサブフレームのフォーマットは、複数のフォーマットから選択されうる。異なるタイプのＵＥおよび異なるサブフレーム・フォーマットは、以下に詳細に記載される。基地局は、選択されたフォーマットに基づいて、サブフレームのセットで送信しうる。基地局はまた、レガシーＵＥをサポートするために、ＭＢＳＦＮサブフレーム・フォーマットに基づいて、サブフレームのセットにおけるおのおののサブフレームで、セル特有基準信号（ＣＲＳ：cell-specific reference signal）を送信しうる。
【０００７】
１つの設計では、複数のフォーマットは、少なくとも１つのレギュラー・サブフレーム・フォーマット、少なくとも１つのＭＢＳＦＮサブフレーム・フォーマット、および／または、少なくとも１つの新たなサブフレーム・フォーマットを含みうる。基地局は、サブフレームのセットにおけるおのおののサブフレームのために、ＭＢＳＦＮサブフレーム・フォーマット、またはレギュラー・サブフレーム・フォーマット、または新たなサブフレーム・フォーマットを選択しうる。別の設計では、複数のフォーマットは、少なくとも１つのＭＢＳＦＮサブフレーム・フォーマットと、少なくとも１つのブランク・サブフレーム・フォーマットを含みうる。基地局は、例えば、レガシーＵＥの数、および／または、レガシーＵＥのアクティビティ・レベルに基づいて、サブフレームのセットにおけるおのおののサブフレームのために、ＭＢＳＦＮサブフレーム・フォーマット、または、ブランク・サブフレーム・フォーマットを選択しうる。
【０００８】
また別の設計では、サブフレームのセットは、レガシーＵＥのためにはレギュラー・サブフレームとして指定されうるが、新たなＵＥのためにはＭＢＳＦＮサブフレーム、ブランク・サブフレーム、および／または、新たなサブフレームとして設定されうる。必要な場合、例えば、レガシーＵＥへページを送るために、基地局は、サブフレームのセットにおけるサブフレームを、レギュラー・サブフレームとして再設定しうる。
【０００９】
１つの設計では、新たなＵＥは、複数のフォーマットから動的に選択されうるフォーマットを有するサブフレームを受信しうる。新たなＵＥは、サブフレームで送られた少なくとも１つの送信を復元するために、複数のフォーマットのうちの少なくとも１つに基づいてサブフレームを処理しうる。例えば、新たなＵＥは、一度に１つのフォーマットに基づいてサブフレームを処理し、サブフレームから少なくとも１つの送信が復元された場合、サブフレームの処理を終了しうる。
【００１０】
本開示のさまざまな態様および特徴が、以下にさらに詳細に記載される。
【図面の簡単な説明】
【００１１】
【図１】図１は、無線通信ネットワークを示す。
【図２】図２は、周波数分割デュプレクス（ＦＤＤ）のためのフレーム構造を示す。
【図３】図３は、時分割デュプレクス（ＴＤＤ）のためのフレーム構造を示す。
【図４】図４は、２つのレギュラー・サブフレーム・フォーマットを示す。
【図５】図５は、２つのＭＢＳＦＮサブフレーム・フォーマットを示す。
【図６】図６は、異なるサブフレーム・フォーマット間の動的な切り換えを示す。
【図７】図７は、動的なサブフレーム選択を用いて送信するための処理を示す。
【図８】図８は、動的なサブフレーム選択を用いて送信するための装置を示す。
【図９】図９は、動的なサブフレーム選択を用いてなされた送信を受信するための処理を示す。
【図１０】図１０は、動的なサブフレーム選択を用いてなされた送信を受信するための装置を示す。
【図１１】図１１は、基地局およびＵＥのブロック図を示す。
【発明を実施するための形態】
【００１２】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と命名された組織からの文書に記載されている。ｃｄｍａ２０００およびＵＭＢは、「第３世代パートナシップ計画プロジェクト２」（３ＧＰＰ２）と命名された組織からの文書に記載されている。本明細書で記載された技術は、他の無線ネットワークおよびラジオ技術と同様に、上述された無線ネットワークおよびラジオ技術のために使用されうる。明確にするために、これら技術のある態様は、以下において、ＬＴＥについて記載されており、ＬＴＥ用語が以下の説明の多くで使用される。
【００１３】
図１は、無線通信ネットワーク１００を示す。これは、ＬＴＥネットワークまたはその他いくつかの無線ネットワークでありうる。無線ネットワーク１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢ１１０は、特定の地理的領域のための有効通信範囲を提供し、有効通信範囲エリア内に位置するＵＥのための通信をサポートしうる。ネットワーク容量を改善するために、ｅＮＢの有効通信範囲全体が、多数（例えば３つ）の、より小さなエリアへ分割されうる。小さなエリアおのおのは、それぞれのｅＮＢサブシステムによってサービス提供されうる。３ＧＰＰでは、用語「セル」は、この有効通信範囲エリアにサービス提供しているｅＮＢおよび／またはｅＮＢサブシステムのうちの最小の有効通信範囲エリアを称しうる。ｅＮＢは、マクロ・セル、ピコ・セル、フェムト・セル、および／または、その他のタイプのセルのために、通信有効通信範囲を提供しうる。図１に示す例では、ｅＮＢ１１０ａ、１１０ｂ、１１０ｃは、マクロ・セル１０２ａ、１０２ｂ、１０２ｃそれぞれのためのマクロｅＮＢでありうる。ｅＮＢ１１０ｘは、ピコ・セル１０２ｘのためのピコｅＮＢでありうる。ｅＮＢ１１０ｙは、フェムト・セル１０２ｙのためのフェムトｅＮＢでありうる。「ｅＮＢ」および「基地局」という用語は、本明細書において置換可能に使用されうる。
【００１４】
無線ネットワーク１００はさらに、中継局をも含みうる。中継局は、上流局（例えば、ｅＮＢまたはＵＥ）からデータの送信を受信し、下流局（例えば、ＵＥまたはｅＮＢ）へデータを送信するエンティティである。中継局はまた、他のＵＥのための送信を中継するＵＥでもありうる。図１に示される例において、中継局１１０ｚは、ｅＮＢ１１０ａとＵＥ１２０ｚとの間の通信を容易にするために、マクロｅＮＢ１１０ａおよびＵＥ１２０ｚと通信しうる。中継局はまた、リレーｅＮＢ、リレー基地局、リレー等とも称されうる。
【００１５】
ネットワーク・コントローラ１３０は、ｅＮＢのセットに接続しており、これらｅＮＢに対して調整および制御を提供しうる。ネットワーク・コントローラ１３０は、バックホールを介してｅＮＢと通信しうる。ｅＮＢはまた、例えば、ダイレクトに、または、無線または有線のバックホールを介して非ダイレクトに、互いに通信しうる。
【００１６】
無線ネットワーク１００の全体にわたって、多くのＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。
【００１７】
無線ネットワーク１００は、ＦＤＤまたはＴＤＤを利用しうる。ＦＤＤの場合、ダウンリンクとアップリンクは、個別の周波数チャネルが割り当てられ、ダウンリンク送信およびアップリンク送信は、２つの周波数チャネル上で同時に送信されうる。ＴＤＤの場合、アップリンクとダウンリンクとが同じ周波数チャネルを共有し、ダウンリンク送信およびアップリンク送信が、異なる時間インタバルにおいて、同じ周波数チャネルで送信されうる。
【００１８】
図２は、ＬＴＥにおいて、ＦＤＤのために使用されるフレーム構造２００を示す。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定めた持続時間を有し、０乃至９のインデクスを持つ１０個のサブフレームへ分割されうる。サブフレームはそれぞれ２つのスロットを含みうる。ラジオ・フレームはそれぞれ、０乃至１９のインデクスを備えた２０のスロットを含みうる。おのおののスロットは、例えば、（図２に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。ダウンリンクでは、サブフレームのおのおののシンボル期間内で、ＯＦＤＭシンボルが送信されうる。アップリンクでは、サブフレームのおのおののシンボル期間内で、ＳＣ−ＦＤＭＡシンボルが送信されうる。
【００１９】
ＬＴＥでは、ダウンリンクにおいて、ｅＮＢは、ｅＮＢによってサポートされるおのおののセルのためのシステム帯域幅の中央１．０８ＭＨｚで、プライマリ同期信号（ＰＳＳ）とセカンダリ同期信号（ＳＳＳ）とを送信しうる。図２に示すように、ＰＳＳおよびＳＳＳは、通常のサイクリック・プレフィクスを持つ各ラジオ・フレームのサブフレーム０、５において、シンボル期間６およびシンボル期間５でそれぞれ送信されうる。ＰＳＳおよびＳＳＳは、ＵＥによって、セル探索および獲得のために使用されうる。ｅＮＢは、ｅＮＢによってサポートされているおのおののセルについて、システム帯域幅で、セル特有基準信号（ＣＲＳ）を送信しうる。ＣＲＳは、おのおののサブフレームの一定のサブフレーム期間で送信されうる。そして、チャネル推定、チャネル品質測定、および／または、その他の機能を実行するために、ＵＥによって使用されうる。ｅＮＢはまた、一定のラジオ・フレームのスロット１におけるシンボル期間０乃至３で、物理ブロードキャスト・チャネル（ＰＢＣＨ）を送信しうる。ＰＢＣＨは、あるシステム情報を伝送しうる。
【００２０】
図３は、ＬＴＥにおいて、ＴＤＤのために使用されるフレーム構造３００を示す。ＬＴＥは、ＴＤＤのため、多くのダウンリンク−アップリンク・コンフィギュレーションをサポートする。すべてのダウンリンク−アップリンク・コンフィギュレーションについて、サブフレーム０、５がダウンリンク（ＤＬ）のために使用され、サブフレーム２がアップリンク（ＵＬ）のために使用される。サブフレーム３、４、７、８、９は各々、ダウンリンク−アップリンク・コンフィギュレーションに依存して、ダウンリンクまたはアップリンクのために使用されうる。サブフレーム１は、ダウンリンク制御チャネルのみならずデータ送信のために使用されるダウンリンク・パイロット時間スロット（ＤｗＰＴＳ）と、無送信のガード期間（ＧＰ）と、ランダム・アクセス・チャネル（ＲＡＣＨ）またはサウンディング基準信号（ＳＲＳ）の何れかのために使用されるアップリンク・パイロット時間スロット（ＵｐＰＴＳ）とからなる３つの特別フィールドを含む。サブフレーム６は、ＤｗＰＴＳのみを含むか、または、３つの特別なフィールドのすべてを含むか、または、ダウンリンク−アップリンク・コンフィギュレーションに依存してダウンリンク・サブフレームを含みうる。ＤｗＰＴＳ、ＧＰ、およびＵｐＰＴＳは、異なるサブフレーム・コンフィギュレーションのために、異なる持続時間を有しうる。
【００２１】
ダウンリンクにおいては、ｅＮＢが、（図３に図示されていないが）サブフレーム１、６のシンボル期間２でＰＳＳを送信し、サブフレーム０、５の最後のシンボル期間でＳＳＳを送信しうる。ｅＮＢは、おのおののダウンリンク・サブフレームの一定のシンボル期間で、ＣＲＳを送信しうる。ｅＮＢはまた、一定のラジオ・フレームのサブフレーム０で、ＰＢＣＨをも送信しうる。
【００２２】
ＬＴＥにおけるさまざまな信号およびチャネルは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。３ＧＰＰ  ＴＳ  ３６．２１１には、フレーム構造２００、３００も記載されている。
【００２３】
ＬＴＥは、ダウンリンクのために、いくつかのサブフレーム・フォーマットをサポートしている。サブフレーム・フォーマットはまた、サブフレーム・タイプとも称され、「タイプ」および「フォーマット」という用語は、交換可能に使用されうる。おのおののサブフレーム・フォーマットは、例えば、一定の信号およびチャネルが、このフォーマットのサブフレームで送信されるある特性に、および／または、サブフレームにおいて信号またはチャネルが送信される特別な方式に関連付けられうる。異なるフォーマットのサブフレームが、異なる目的のために使用されうる。
【００２４】
図４は、ＬＴＥにおいてダウンリンクのために使用されうる２つのレギュラー・サブフレーム・フォーマット４１０、４２０を示す。レギュラー・サブフレーム・フォーマット４１０およびレギュラー・サブフレーム・フォーマット４２０は、ＬＴＥリリース８およびＬＴＥリリース９に定義されている。ＬＴＥにおける通常のサイクリック・プレフィクスの場合、左スロットは、７つのシンボル期間０乃至６を含み、右スロットは、７つのシンボル期間７乃至１３を含む。おのおののスロットは、多くのリソース・ブロックを含む。おのおののリソース・ブロックは、１つのスロット内に１２のサブキャリアをカバーし、多くのリソース要素を含みうる。おのおののリソース要素は、１つのシンボル期間において１つのサブキャリアをカバーし、実数値または複素数値である１つの変調シンボルを送信するために使用されうる。
【００２５】
サブフレーム・フォーマット４１０は、２つのアンテナを装備したｅＮＢによって使用されうる。ＣＲＳは、シンボル期間０、４、７、１１において、アンテナ０、１から送信されうる。基準信号は、送信機および受信機に演繹的に知られている信号であり、パイロット信号、パイロットと称されうる。ＣＲＳは、例えば、セル識別情報（ＩＤ）に基づいて生成された、セルに特有の基準信号である。図４では、ラベルＲａを持つ所与のリソース要素の場合、このリソース要素で、アンテナａから変調シンボルが送信され、その他のアンテナから変調シンボルが送信されない。サブフレーム・フォーマット４２０は、４つのアンテナを装備したｅＮＢに使用されうる。ＣＲＳは、シンボル期間０、４、７、１１において、アンテナ０から送信され、シンボル期間１、８において、アンテナ２、３から送信されうる。
【００２６】
サブフレーム・フォーマット４１０、４２０の両方について、サブフレームは、データ・セクションが後に続く制御セクションを含みうる。制御セクションは、サブフレームの最初のＱ個のシンボル期間を含みうる。ここで、Ｑは、１、２、３または４に等しい。Ｑは、サブフレーム毎に変化し、サブフレームの第１のシンボル期間で伝送されうる。制御セクションは、制御情報を伝送しうる。データ・セクションは、サブフレームのうちの残りの（２Ｌ−Ｑ）個のシンボル期間を含み、ＵＥのためのデータおよび／またはその他の情報を伝送しうる。
【００２７】
図５は、ＬＴＥにおいてダウンリンクのために使用されうる２つのＭＢＳＦＮサブフレーム・フォーマット５１０、５２０を示す。ＭＢＳＦＮサブフレーム・フォーマット５１０およびＭＢＳＦＮサブフレーム・フォーマット５２０は、ＬＴＥリリース８およびＬＴＥリリース９に定義されている。サブフレーム・フォーマット５１０は、２つのアンテナを装備したｅＮＢによって使用されうる。ＣＲＳは、シンボル期間０において、アンテナ０、１から送信されうる。図５に示す例では、Ｑ＝１であり、制御セクションが、１つのシンボル期間をカバーする。サブフレーム・フォーマット５２０は、４つのアンテナを装備したｅＮＢによって使用されうる。ＣＲＳは、シンボル期間０においてアンテナ０、１から送信され、シンボル期間１においてアンテナ２、３から送信されうる。図５に示す例では、Ｑ＝２であり、制御セクションは、２つのシンボル期間をカバーする。
【００２８】
ｅＮＢは、サブフレームの制御セクションで、物理制御フォーマット・インジケータ・チャネル（ＰＣＦＩＣＨ）、物理ハイブリッドＡＲＱインジケータ・チャネル（ＰＨＩＣＨ）、および物理ダウンリンク制御チャネル（ＰＤＣＣＨ）を送信しうる。ＰＣＦＩＣＨは、サブフレームの最初のシンボル期間において送信されうる。そして、制御領域のサイズ（つまり、Ｑ値）を伝送しうる。ＰＨＩＣＨは、ハイブリッド自動反復要求（ＨＡＲＱ）を用いてアップリンクでＵＥによって送信されるデータ送信のためのアクノレッジメント（ＡＣＫ）およびネガティブ・アクノレッジメント（ＮＡＣＫ）情報を伝送しうる。ＰＤＣＣＨは、ＵＥのためのダウンリンク制御情報を伝送しうる。ｅＮＢはまた、サブフレームのデータ・セクションで、物理ダウンリンク共有チャネル（ＰＤＳＣＨ）を送信しうる。ＰＤＳＣＨは、個々のＵＥのためにユニキャスト・データを、ＵＥのグループのためにマルチキャスト・データを、および／または、すべてのＵＥのためにブロードキャスト・データを伝送しうる。
【００２９】
無線ネットワーク１００はまた、例えばブランク・サブフレームおよび新たなサブフレームのようなその他のフォーマットのサブフレームをもサポートしうる。ブランク・サブフレームは、（例えば、ＣＲＳのような）送信を含んでおらず、近隣セルにおけるＵＥに対する干渉を低減するために使用されうる。新たなサブフレームは、レギュラー・サブフレームまたはＭＢＳＦＮサブフレームでは送信されないその他のタイプのＣＲＳおよび／またはその他のチャネルを含みうる。例えば、新たなサブフレームは、チャネル品質測定をサポートするためのチャネル品質インジケータ基準信号（ＣＱＩ−ＲＳ）、通常はＣＲＳのために使用されるリソース要素で、特定のＵＥへ送信されるＵＥ基準信号（ＵＥ−ＲＳ）、通常はＣＲＳのために使用されるリソース要素で送られるＰＤＳＣＨ送信、中継局の動作をサポートするためのリレーＰＤＣＣＨ（Ｒ−ＰＤＣＣＨ）および／またはリレーＰＤＳＣＨ（Ｒ−ＰＤＳＣＨ）等を含みうる。ブランク・サブフレームおよび／または新たなサブフレームは、ＬＴＥリリース９以降のＬＴＥリリースで定義されうる。
【００３０】
無線ネットワーク１００は、例えば「レガシー」ＵＥおよび「新たな」ＵＥのような異なるタイプのＵＥをサポートしうる。レガシーＵＥは、ＬＴＥリリース８またはＬＴＥリリース９、あるいは、その他いくつかのリリースをサポートし、例えば、ＬＴＥリリース８規格またはＬＴＥリリース９規格で指定されたような、レギュラー・サブフレームおよびＭＢＳＦＮサブフレームのある解釈を持つ。新たなＵＥは、以降のＬＴＥリリースをサポートし、レギュラー・サブフレームおよびＭＢＳＦＮサブフレームについて、レガシーＵＥとは異なる解釈を持つ。
【００３１】
ｅＮＢは、例えば、すべてのＵＥへのシステム情報ブロードキャストによって、特定のサブフレームを、ＭＢＳＦＮサブフレームとして宣言しうる。レガシーＵＥは、ＭＢＳＦＮサブフレームの制御セクションで、ＣＲＳおよび制御情報を期待しうる。ｅＮＢは、ＭＢＳＦＮサブフレームのデータ・セクションでブロードキャスト・データを期待するように、（例えば、上部レイヤ・シグナリングによって）レガシーＵＥに個別に通知しうる。この場合、レガシーＵＥは、データ・セッションでのブロードキャスト・データを期待しうる。あるいは、ｅＮＢは、ＭＢＳＦＮサブフレームのデータ・セクションでブロードキャスト・データを期待するように、レガシーＵＥに通知しない。この場合、レガシーＵＥは、データ・セクションでブロードキャスト・データを期待せず、このセクションをスキップしうる。
【００３２】
態様では、ｅＮＢは、レガシーＵＥと新たなＵＥとの両方のための通信をより効率的にサポートするために、異なるサブフレーム・フォーマット（または、異なるタイプのサブフレーム）間の動的な切り換えを行う。１つの設計では、ｅＮＢは、いくつかのサブフレームをＭＢＳＦＮサブフレームとして宣言し、その他いくつかのサブフレームを、レギュラー・サブフレームとして、および／または、その他のフォーマットのサブフレームとして予約しうる。例えば、ｅＮＢは、準静的な方式で、可能な限り多くのサブフレームをＭＢＳＦＮサブフレームとして宣言しうる。ｅＮＢは、ＭＢＳＦＮサブフレームをレガシーＵＥへ伝送するためにシグナリング（例えば、システム情報）を送信しうる。しかしながら、ｅＮＢは、新たなＵＥのために、ＭＢＳＦＮサブフレームと（例えば、レギュラー・サブフレームおよび／または新たなサブフレームのような）その他のサブフレームとの間の動的な切り換えを行いうる。
【００３３】
１つの設計では、ｅＮＢは、サブフレーム毎ベースで、異なるサブフレーム・フォーマット間での動的な切り換えを行いうる。ＭＢＳＦＮサブフレームとして宣言された所与のサブフレームについて、ｅＮＢは、サポートされたフォーマットのセットから、サブフレームのための特定のフォーマットを選択しうる。例えば、ｅＮＢは、レギュラー・サブフレームを送信すべきか、または、新たなサブフレームを送信すべきか、またはＭＢＳＦＮサブフレームを送信すべきか、または、その他いくつかのフォーマットのサブフレームを送信すべきかを判定しうる。ｅＮＢは、（ｉ）２つのアンテナが装備されている場合、サブフレームの最初のシンボル期間で、または、（ｉｉ）４つのアンテナが装備されている場合、サブフレームの最初の２つのシンボル期間でＣＲＳを送信しうる。ｅＮＢは、サブフレームの最初の１つまたは２つのシンボル期間では、制御情報を送信することも、送信しないこともある。ｅＮＢは、サブフレームの、選択されたフォーマットによってサポートされているように、任意の適切な送信を、サブフレームの残りのシンボル期間で新たなＵＥへ送る。これらの送信は、レガシーＵＥによって無視されうる。
【００３４】
１つの設計では、ＭＢＳＦＮサブフレームとして宣言されたサブフレームについて、ｅＮＢは、新たなＵＥに通知することなく、異なるサブフレーム・フォーマット間での動的な切り換えを行いうる。この設計では、新たなＵＥは、このサブフレームのために使用されうる異なるフォーマットのため、異なる仮説の下で、ＭＢＳＦＮサブフレームとして宣言されたおのおののサブフレームを処理しうる。別の設計では、ｅＮＢは、新たなＵＥに対して、ＭＢＳＦＮサブフレームとして宣言されたサブフレームのために選択されたフォーマットを通知するために、シグナリングを送信しうる。この設計では、新たなＵＥは、このサブフレームのために選択されたフォーマットに基づいて、ＭＢＳＦＮサブフレームとして宣言されたおのおののサブフレームを処理しうる。
【００３５】
レガシーＵＥは、ｅＮＢからシステム情報を受信し、どのサブフレームがＭＢＳＦＮサブフレームとして宣言されたかを確証しうる。ＭＢＳＦＮサブフレームとして宣言された所与のサブフレームについて、レガシーＵＥは、例えば、サブフレームの最初の１つまたは２つのシンボル期間におけるＣＲＳのような、一定の送信を期待しうる。レガシーＵＥは、サブフレームで受信したＣＲＳに基づいて、チャネル推定を実行しうる。レガシーＵＥは、サブフレームの残りのシンボル期間をスキップするか、または、アップリンク許可、ＡＣＫ／ＮＡＣＫ等のための制御情報を復元するために、サブフレームの制御セクションを処理しうる。
【００３６】
新たなＵＥはまた、ｅＮＢからシステム情報を受信し、どのサブフレームがＭＢＳＦＮサブフレームとして宣言されたかを確証しうる。ＭＢＳＦＮサブフレームとして宣言されたサブフレームの選択されたフォーマットを伝送するために、シグナリングが送信されない設計の場合、新たなＵＥは、ＭＢＳＦＮサブフレームとして宣言された所与のサブフレームが、レギュラー・サブフレームであるか、ＭＢＳＦＮサブフレームであるか、新たなサブフレームであるか、あるいは、その他いくつかのフォーマットのサブフレームであることを期待しうる。その後、新たなＵＥは、可能な異なる仮説のために、サブフレームを処理しうる。例えば、新たなＵＥは、先ず、このサブフレームが、レギュラー・サブフレームであるとの仮説の下で、このサブフレームを処理し、通常、レギュラー・サブフレームで送信される制御情報のための復調および復号を実行しうる。このような制御情報が正しく復号されない場合、新たなＵＥは、このサブフレームが新たなサブフレームであるとの仮説の下、このサブフレームを処理し、通常、新たなサブフレームで送信される制御情報のための復調および復号を実行しうる。このような制御情報が正しく復号されない場合、新たなＵＥは、このサブフレームがＭＢＳＦＮサブフレームであるとの仮説の下、このサブフレームを処理しうる。このＵＥ処理は、いくつかの場合に、単純化されうる。例えば、新たなＵＥは、サブフレームの制御セクションで送信された制御情報を復調しうる。新たなＵＥが、制御セクションでダウンリンク許可を受信した場合、新たなＵＥは、このサブフレームが、レギュラー・サブフレームであると仮定しうる。そうではない場合、新たなＵＥは、このサブフレームをＭＢＳＦＮサブフレームとして取り扱い、このサブフレームのデータ・セクションを無視しうる。
【００３７】
一般に、新たなＵＥは、任意の数のサブフレーム・フォーマットについて、ＭＢＳＦＮサブフレームとして宣言されたサブフレームを処理しうる。１つの設計では、新たなＵＥは、一度に１つのフォーマットについてサブフレームを処理し、このフォーマットのために通常送信される一定の情報が正しく復号された場合、終了する。別の設計では、新たなＵＥは、可能な異なるフォーマットについてサブフレームを処理し、おのおののフォーマットのメトリックを取得しうる。新たなＵＥは、その後、最良のメトリックを持つフォーマットを選択しうる。新たなＵＥはまた、可能な異なるフォーマットのサブフレームを、別の方式でも処理しうる。いずれにせよ、ＭＢＳＦＮサブフレームは、元々、単一周波数ネットワーク（ＳＦＮ）ブロードキャスト送信をサポートすることが意図されているが、一般的な下位互換メカニズムとしても使用されうる。
【００３８】
図６は、異なるサブフレーム・フォーマット間での動的な切り換えの設計を示す。この設計では、ｅＮＢは、サブフレーム１乃至４およびサブフレーム６乃至９を、ＭＢＳＦＮサブフレームとして宣言し、サブフレーム０乃至５を、レガシーＵＥのレギュラー・サブフレームとして予約しうる。ｅＮＢは、ＭＢＳＦＮサブフレームとして宣言されたサブフレームを伝送するために、シグナリング（例えば、システム情報）を送信しうる。
【００３９】
レガシーＵＥは、サブフレーム０乃至５を、レギュラー・サブフレームとして処理しうる。おのおののレギュラー・サブフレームのために、レガシーＵＥは、ＣＲＳを受信し、チャネル推定を実行しうる。レガシーＵＥはまた、レガシーＵＥへ送信された何れの制御情報をも復元するために、サブフレームの制御セクションを復調および復号しうる。レガシーＵＥはまた、制御セクションから受信された制御情報によって指示された場合、サブフレームのデータ・セクションを復調および復号しうる。レガシーＵＥは、サブフレーム１乃至４およびサブフレーム６乃至９を、ＭＢＳＦＮサブフレームとして処理しうる。ＭＢＳＦＮサブフレームとして宣言されたおのおののサブフレームについて、レガシーＵＥは、サブフレームの最初の１つまたは２つのシンボル期間において、ＣＲＳを受信し、チャネル推定を実行しうる。レガシーＵＥは、サブフレームの残りのシンボル期間をスキップしうる。
【００４０】
新たなＵＥは、サブフレーム０乃至５を、レギュラー・サブフレームとして処理しうる。おのおののレギュラー・サブフレームについて、新たなＵＥは、ＣＲＳを受信し、チャネル推定を実行しうる。新たなＵＥは、新たなＵＥへ送信された任意の制御情報を復元するために、サブフレームの制御セクションの復調および復号をも行い、また、制御セクションから受信した制御情報によって指示された場合には、サブフレームのデータ・セクションの復調および復号をも行いうる。新たなＵＥは、サブフレーム１乃至４およびサブフレーム６乃至９を、レギュラー・サブフレームとして、または、新たなサブフレームとして、または、ＭＢＳＦＮサブフレームとして、および／または、その他のタイプのサブフレームとして処理しうる。新たなＵＥは、ＭＢＳＦＮサブフレームとして宣言されたおのおののサブフレームを、上述したように処理しうる。
【００４１】
１つの設計では、ｅＮＢは、（レガシーＵＥへシグナルされうる）ＭＢＳＦＮサブフレームと、（レガシーＵＥに知られていないフォーマットを有しうる）ブランク・サブフレームとの間の動的な切り換えを行いうる。ｅＮＢは、近隣セルにおけるＵＥへの干渉を低減するために、ブランク・サブフレームに切り換わりうる。
【００４２】
１つの設計では、ｅＮＢは、レガシーＵＥのアクティビティ・レベルに基づいて、ＭＢＳＦＮサブフレームとブランク・サブフレームとの間の切り換えを行いうる。例えば、セル内にレガシーＵＥがほとんど存在しない場合、ｅＮＢは、サブフレーム０乃至５を除くすべてのサブフレームのために、ＭＢＳＦＮサブフレームからブランク・サブフレームへ切り換えうる。セル内のレガシーＵＥの数は、例えば、レガシーＵＥのページング・アクティビティに基づいて判定されうる。レガシーＵＥの測定精度が過度に下がらないように、サブフレーム０または５は、レギュラー・サブフレームとして構成されうる。一般に、ブランク・サブフレームに切り換わるＭＢＳＦＮサブフレームの数は、レガシーＵＥの数、および／または、レガシーＵＥのアクティビティ・レベルに依存（例えば、逆比例）しうる。別の設計では、ｅＮＢは、（例えば、サブフレーム内のＣＲＳが、チャネル測定のために利用可能となるように）いくつかのサブフレームをＭＢＳＦＮサブフレームとして、その他のサブフレームをブランク・サブフレームとして設定しうる。
【００４３】
ｅＮＢは、ブランク・サブフレームで送信しうる。レガシーＵＥは、サブフレームのうちの最初の１つまたは２つのシンボル期間でＣＲＳを期待し、期待したＣＲＳに基づいてチャネル推定を実行しうる。ＣＲＳは、ブランク・サブフレームで送信されないので、レガシーＵＥは、チャネル推定性能の低下を観察しうる。この低下は、レガシーＵＥを、ブランク・サブフレームより前に、不連続受信（ＤＲＸ）モードにすることによって緩和されうる。
【００４４】
ＬＴＥリリース８では、ラジオ・フレームにおける合計１０のサブフレームのうちの最大６つがＭＢＳＦＮサブフレームとして指定されうる。ＦＤＤにおけるサブフレーム０、４、５、９、およびＴＤＤにおけるサブフレーム０、１、５、６は、ＬＴＥリリース８では、ＭＢＳＦＮサブフレームとして指定され得ない予約サブフレームでありうる。予約サブフレームは、レガシーＵＥによって、レギュラー・サブフレームとして考慮されうる。そして、測定および／またはその他の目的のために、これらＵＥによって使用されうる。さらに、ページは、予約サブフレームのみで、レガシーＵＥに送信されうる。
【００４５】
１つの設計では、ｅＮＢは１または複数の予約サブフレーム（例えば、ＦＤＤにおけるサブフレーム０、４、５、および／または９、または、ＴＤＤにおけるサブフレーム０、１、５、および／または６）を、新たなＵＥのため、ＭＢＳＦＮサブフレーム、ブランク・サブフレーム、および／または、新たなサブフレームとして設定しうる。これによって、ｅＮＢは、新たな機能を最大に使用すること、および、新たなＵＥのための新たな機能に、より多くの帯域幅を割り当てることができるようになる。
【００４６】
レガシーＵＥは、ＬＴＥリリース８に基づいて、すべての予約フレームが、レギュラー・サブフレームであるべきと考えることができる。したがって、ｅＮＢが、１または複数の予約サブフレームを、ＭＢＳＦＮサブフレーム、ブランク・サブフレーム、および／または、新たなサブフレームとして設定した場合、レガシーＵＥに対していくつかの悪影響が発生しうる。１つの悪影響は、測定精度の低下である。これは、許容可能なトレードオフであると考えられうる。１つの設計では、測定に対する影響を最小にするために、レガシーＵＥは、ＭＢＳＦＮサブフレーム、ブランク・サブフレーム、または新たなサブフレームとして設定された予約サブフレームの前に、ＤＲＸモードとされうる。レガシーＵＥは、ＤＲＸ動作により、この予約サブフレームをスキップしうる。別の悪影響は、レガシーＵＥのためのページが失われることでありうる。この影響は、以下に述べるようにして対処されうる。
【００４７】
１つの設計では、ｅＮＢは、新たなＵＥのため、ＭＢＳＦＮサブフレーム、ブランク・サブフレーム、または新たなサブフレームとして設定されている予約サブフレームを、レギュラー・サブフレームに戻すよう再設定しうる。例えば、レガシーＵＥが、このような予約サブフレームでページを受信すると、ｅＮＢは、このサブフレームをレギュラー・サブフレームとして動的に再設定し、このサブフレームで、レガシーＵＥへページを送信しうる。この再設定は、レガシーＵＥによってページが失われないことを保証しうる。レガシーＵＥは、常に、予約サブフレームのすべてが、レギュラー・サブフレームであるべきと考えるので、この再設定は、新たなＵＥの観点からなされうる。１つの設計では、新たなＵＥは、ｅＮＢが、ＭＢＳＦＮ、ブランク、および／または、新たなサブフレームとして設定された幾つかの予約サブフレームを、レギュラー・サブフレームに戻すように動的に再設定しうることを認識しうる。この設計では、新たなＵＥは、ｅＮＢによる再設定によって、低下を被らないことができる。
【００４８】
１つの設計では、ＭＢＳＦＮサブフレームおよび／またはブランク・サブフレームは、他のセル内のＵＥに対する干渉を低減するために使用されうる。他のセル内のＵＥは、ＭＢＳＦＮサブフレームおよび／またはブランク・サブフレームからレギュラー・サブフレームへの動的な再設定によって、いくつかの干渉を観察しうる。しかしながら、この干渉は、レガシーＵＥのためのページが失われることを低減するために許容できるトレードオフでありうる。
【００４９】
（ｉ）ｅＮＢが、レガシーＵＥのために、可能な限り多くのサブフレームを、ＭＢＳＦＮサブフレームとして宣言すること、および／または、（ｉｉ）ｅＮＢが、レガシーＵＥのためのいくつかの予約サブフレームを、新たなＵＥのため、ＭＢＳＦＮサブフレーム、ブランク・サブフレーム、および／または、新たなサブフレームとして設定すること、によって、制限された数のレギュラー・サブフレームしか、レガシーＵＥに対して利用可能とはならない。１つの設計では、ｅＮＢは、レガシーＵＥに対して、レギュラー・サブフレームでのデータ送信のスケジューリングに高い優先度を与える。これは、可能な限り多くのＭＢＳＦＮサブフレームが、例えば、可能性のある新たな機能、シグナリング、および／またはチャネルを備える新たなサブフレーム・フォーマットを用いて、新たなＵＥをスケジュールするために使用されうることを保証する。
【００５０】
図７は、動的なサブフレーム選択を用いて送信するための処理７００の設計を示す。処理７００は、（以下に説明するように）基地局／ｅＮＢ、または、その他いくつかのエンティティによって実行されうる。基地局は、サブフレームのセットを、第１の／レガシーＵＥのためのＭＢＳＦＮサブフレームとして宣言する（ブロック７１２）。このセットは、１または複数のサブフレームを含みうる。基地局は、サブフレームのセットをＭＢＳＦＮサブフレームとして伝送するために、シグナリング（例えば、システム情報）を送信しうる（ブロック７１４）。基地局は、第２の／新たなＵＥのために、サブフレームのセットのフォーマットを動的に選択しうる。ここで、おのおののサブフレームのフォーマットは、複数のフォーマットから選択される（ブロック７１６）。基地局は、選択されたフォーマットを、第２のＵＥに伝送するために、シグナリングを送らないこともある。基地局は、選択されたフォーマットに基づいて、サブフレームのセットで送信しうる（ブロック７１８）。基地局はまた、第１のＵＥのためのＭＢＳＦＮサブフレーム・フォーマットに基づいて、サブフレームのセットにおけるおのおののサブフレームで、ＣＲＳを送信しうる。
【００５１】
１つの設計では、基地局は、サブフレーム毎ベースで、サブフレームのセットのフォーマットを選択しうる。基地局はまた、例えば、１または複数のサブフレームのおのおののグループについて、その他の方式で、サブフレームのセットのフォーマットを選択しうる。
【００５２】
１つの設計では、複数のフォーマットは、少なくとも１つのレギュラー・サブフレーム・フォーマット、少なくとも１つのＭＢＳＦＮサブフレーム・フォーマット、または少なくとも１つの新たなサブフレーム・フォーマット、または他のいくつかのサブフレーム・フォーマット、またはこれらの組み合わせを備えうる。レギュラー・サブフレームは、（例えば、ＬＴＥリリース８のような）特定の規格のリリースによって定義され、この規格のリリースをサポートするＵＥのために、一定の送信（例えば、ＣＲＳ）を伝送しうる。ＭＢＳＦＮサブフレームは、サブフレームの第１の部分で、一定の送信（例えば、ＣＲＳ）を伝送し、サブフレームの残りの部分で、何も送信しないことがありうる。ＭＢＳＦＮサブフレームは、レギュラー・サブフレームよりも少ないＣＲＳしか含んでいない場合がありうる。新たなサブフレームは、以降の規格のリリース（例えば、以降のＬＴＥリリース）によって定義され、レギュラー・サブフレームで一定の送信を伝送しないことがありうる。基地局は、サブフレームのセットにおけるおのおののサブフレームのために、ＭＢＳＦＮサブフレーム・フォーマット、またはレギュラー・サブフレーム・フォーマット、または新たなサブフレーム・フォーマット、またはその他いくつかのフォーマットを選択しうる。少なくとも１つのレギュラー・サブフレーム・フォーマットは、（ｉ）サブフレームの４つのシンボル期間で送信されるＣＲＳを有する第１のレギュラー・サブフレーム・フォーマット（例えば、図４におけるサブフレーム・フォーマット４１０）、および／または、（ｉｉ）サブフレームの６つのシンボル期間で送信されるＣＲＳを有する第２のレギュラー・サブフレーム・フォーマット（例えば、サブフレーム・フォーマット４２０）
を含みうる。少なくとも１つのＭＢＳＦＮサブフレーム・フォーマットは、（ｉ）サブフレームの１つのシンボル期間で送信されるＣＲＳを有する第１のＭＢＳＦＮサブフレーム・フォーマット（例えば、図５におけるサブフレーム・フォーマット５１０）、および／または、（ｉｉ）サブフレームの２つのシンボル期間で送信されるＣＲＳを有する第２のＭＢＳＦＮサブフレーム・フォーマット（例えば、サブフレーム・フォーマット５２０）
を含みうる。
【００５３】
別の設計では、複数のフォーマットは、少なくとも１つのＭＢＳＦＮサブフレーム・フォーマットと、少なくとも１つのブランク・サブフレーム・フォーマットとを含みうる。ブランク・サブフレームは、送信を行わないことがありうる。基地局は、例えば、ＭＢＳＦＮサブフレームを受信することを期待しているＵＥの数、ＵＥのアクティビティ・レベル、および／または、その他いくつかの基準に基づいて、サブフレームのセットにおけるおのおののサブフレームのために、ＭＢＳＦＮサブフレーム・フォーマットまたはブランク・サブフレーム・フォーマットを選択しうる。
【００５４】
また別の設計では、サブフレームのセットは、第１のＵＥのためのレギュラー・サブフレームとして指定されうるが、第２のＵＥのためのＭＢＳＦＮサブフレーム、またはブランク・サブフレーム、または新たなサブフレーム、またはこれらの組み合わせてとして指定されうる。サブフレームのセットは、（ｉ）ＬＴＥにおけるＦＤＤの場合、サブフレーム０、４、５、９のうちの少なくとも１つ、または（ｉｉ）ＬＴＥにおけるＴＤＤの場合、サブフレーム０、１、５、６のうちの少なくとも１つを含みうる。基地局は、必要な場合、サブフレームのセットにおけるサブフレームを、レギュラー・サブフレームとして再設定しうる。例えば、基地局は、第１のＵＥを求めるページを受信し、ページを受信することに応答して、サブフレームのセットにおけるサブフレームを、レギュラー・サブフレームとして再設定し、このサブフレームでページを第１のＵＥへ送信しうる。基地局は、チャネル推定低下を緩和するために、サブフレームのセットにおけるサブフレームのおのおのの前に、１または複数の第１のＵＥをＤＲＸモードにしうる。
【００５５】
図８は、無線ネットワークにおける送信のための装置８００の設計を示す。装置８００は、第１のＵＥのために、サブフレームの１セットをＭＢＳＦＮサブフレームとして宣言するモジュール８１２と、サブフレームのセットをＭＢＳＦＮサブフレームとして伝送するために、シグナリングを送信するモジュール８１４と、第２のＵＥのために、サブフレームのセットのフォーマットを動的に選択する（ここで、おのおののサブフレームのフォーマットは、複数のフォーマットから選択される）モジュール８１６と、選択されたフォーマットに基づいて、サブフレームのセットで送信するモジュール８１８とを含む。
【００５６】
図９は、動的なサブフレーム選択を用いた送信を受信するための処理９００の設計を示す。処理９００は、（以下に説明するように）ＵＥによって実行されうるか、または、その他いくつかのエンティティによって実行されうる。ＵＥは、複数のフォーマットから動的に選択されたフォーマットを有するサブフレームを受信しうる（ブロック９１２）。１つの設計では、サブフレームは、第１の／レガシーＵＥのためのＭＢＳＦＮサブフレームとして宣言され、第２の／新たなＵＥのために動的に設定可能でありうる。ＵＥは、第２のＵＥのうちの１つでありうる。ＵＥは、サブフレームのフォーマットを示すシグナリングを受信しないことがありうる（ブロック９１４）。
【００５７】
ＵＥは、サブフレームで送信された少なくとも１つの送信を復元するために、複数のフォーマットのうちの少なくとも１つに基づいて、サブフレームを処理しうる（ブロック９１６）。１つの設計では、ＵＥは、一度に１つのフォーマットに基づいてサブフレームを処理し、少なくとも１つの送信が、サブフレームから復元された場合に、サブフレームの処理を終了しうる。少なくとも１つの送信は、シグナリング・メッセージ、データ送信、基準信号等を含みうる。別の設計では、ＵＥは、おのおののフォーマットに基づいてサブフレームを処理し、例えば、最良のメトリックを有するフォーマットのように、最も使用されるであろうフォーマットを選択しうる。ＵＥはまた、別の方式でサブフレームを処理しうる。
【００５８】
１つの設計では、複数のフォーマットは、少なくとも１つのレギュラー・サブフレーム・フォーマット、または少なくとも１つのＭＢＳＦＮサブフレーム・フォーマット、または少なくとも１つのブランク・サブフレーム・フォーマット、または少なくとも１つの新たなサブフレーム・フォーマット、またはこれらの組み合わせを備えうる。別の設計では、サブフレームは、第１のＵＥのために、レギュラー・サブフレーム（例えば、予約サブフレーム）として指定され、第２のＵＥのために、ＭＢＳＦＮサブフレーム、またはブランク・ブフレーム、または新たなサブフレームとして設定されうる。この設計では、サブフレームは、ＬＴＥにおけるＦＤＤの場合、サブフレーム０、４、５、または９であり、または、ＬＴＥにおけるＴＤＤの場合、サブフレーム０、１、５、または６でありうる。
【００５９】
図１０は、無線ネットワークにおいて送信を受信するための装置１０００の設計を示す。装置１０００は、複数のフォーマットから動的に選択されたフォーマットを有するサブフレームを受信するモジュール１０１２と、サブフレームのフォーマットを示すシグナリングを受信しないモジュール１０１４と、サブフレームで送信された少なくとも１つの送信を復元するために、複数のフォーマットのうちの少なくとも１つに基づいて、サブフレームを処理するモジュール１０１６とを含みうる。
【００６０】
図８および図１０におけるモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００６１】
図１１は、図１における基地局／ｅＮＢのうちの１つ、およびＵＥのうちの１つでありうる、基地局／ｅＮＢ１１０とＵＥ１２０との設計のブロック図を示す。基地局１１０は、Ｔ個のアンテナ１１３４ａ乃至１１３４ｔを備え、ＵＥ１２０は、Ｒ個のアンテナ１１５２ａ乃至１１５２ｒを備えうる。ここで、一般に、Ｔ≧１およびＲ≧１である。
【００６２】
基地局１１０では、送信プロセッサ１１２０は、１または複数のＵＥのためのデータをデータ・ソース１１１２から受け取り、おのおののＵＥのためのデータを、このＵＥのために選択された１または複数の変調スキームおよび符号化スキームに基づいて処理（例えば、符号化および変調）し、すべてのＵＥのためのデータ・シンボルを提供しうる。送信プロセッサ１１２０はまた、制御情報（例えば、許可）およびオーバヘッド情報（例えば、ＭＢＳＦＮサブフレームを伝送するシステム情報）を処理し、制御シンボルおよびオーバヘッド・シンボルを提供しうる。プロセッサ１１２０はまた、基準信号（例えば、ＣＲＳ）および同期信号（例えば、ＰＳＳおよびＳＳＳ）のための基準シンボルを生成しうる。送信（ＴＸ）複数入力複数出力（ＭＩＭＯ）プロセッサ１１３０は、適用可能な場合、データ・シンボル、制御シンボル、オーバヘッド・シンボル、および／または、基準シンボルについて空間処理（例えば、事前符号化）を実行し、さらに、Ｔ個の出力シンボル・ストリームを、Ｔ個の変調器（ＭＯＤ）１１３２ａ乃至１１３２ｔへ提供しうる。おのおのの変調器１１３２は、（例えば、ＯＦＤＭ等のために）それぞれの出力シンボル・ストリームを処理して、出力サンプル・ストリームを得る。おのおのの変調器１１３２はさらに、出力サンプル・ストリームを処理（例えば、アナログ変換、増幅、フィルタ、およびアップコンバート）し、ダウンリンク信号を取得する。変調器１１３２ａ乃至１１３２ｔからのＴ個のダウンリンク信号は、Ｔ個のアンテナ１１３４ａ乃至１１３４ｔによってそれぞれ送信されうる。
【００６３】
ＵＥ１２０では、アンテナ１１５２ａ乃至１１５２ｒは、基地局１１０および／またはその他の基地局からダウンリンク信号を受信し、受信したこれら信号を復調器（ＤＥＭＯＤ）１１５４ａ乃至１１５４ｒへそれぞれ提供しうる。おのおのの復調器１１５４は、受信されたそれぞれの信号を調整（例えば、フィルタ、増幅、ダウンコンバート、およびデジタル化）して、入力サンプルを取得しうる。おのおのの復調器１１０５４はさらに、（例えば、ＯＦＤＭ等のため）これら入力サンプルを処理して、受信されたシンボルを取得しうる。ＭＩＭＯ検出器１１５６は、Ｒ個の復調器１１５４ａ乃至１１５４ｒのすべてから受信したシンボルを取得し、適用可能である場合、これら受信されたシンボルに対してＭＩＭＯ検出を実行し、検出されたシンボルを提供しうる。受信プロセッサ１１５８は、検出されたシンボルを処理（例えば、復調および復号）し、復号されたデータをＵＥ１２０のためにデータ・シンク１１６０に提供し、復号された制御情報およびオーバヘッド情報をコントローラ／プロセッサ１１８０へ提供しうる。
【００６４】
アップリンクでは、ＵＥ１２０において、送信プロセッサ１１６４が、データ・ソース１１６２からデータを、コントローラ／プロセッサ１１８０から制御情報を受信し、これらを処理しうる。プロセッサ１１６４はさらに、１または複数の基準信号のための基準シンボルを生成しうる。送信プロセッサ１１６４からのシンボルは、適用可能であれば、ＴＭ  ＭＩＭＯプロセッサ１１６６によって事前符号化され、さらに（例えば、ＳＣ−ＦＤＭ、ＯＦＤＭ等のため）変調器１１５４ａ乃至１１５４ｒによって処理され、基地局１１０へ送信される。基地局１１０では、ＵＥ１２０およびその他のＵＥからのアップリンク信号が、アンテナ１１３４によって受信され、復調器１１３２によって処理され、適用可能な場合にはＭＩＭＯ検出器１１３６によって検出され、さらに、受信プロセッサ１１３８によって処理されて、ＵＥ１２０へ送信された復号されたデータおよび制御情報が取得される。プロセッサ１１３８は、復号されたデータをデータ・シンク１１３９に提供し、復号された制御情報をコントローラ／プロセッサ１１４０へ提供しうる。
【００６５】
コントローラ／プロセッサ１１４０、１１８０は、基地局１１０およびＵＥ１２０それぞれにおける動作を指示しうる。基地局１１０におけるプロセッサ１１４０および／またはその他のプロセッサおよびモジュールは、図７の処理７００、および／または、本明細書に記載された技術のためのその他の処理の実行または指示を行いうる。ＵＥ１２０におけるプロセッサ１１８０および／またはその他のプロセッサおよびモジュールは、図９における処理９００、および／または、本明細書に記載された技術のためのその他の処理の実行または指示を行いうる。メモリ１１４２、１１８２は、基地局１１０およびＵＥ１２０それぞれのためのデータおよびプログラム・コードを格納しうる。スケジューラ１１４４は、ダウンリンクおよび／またはアップリンクでのデータ送信のためにＵＥをスケジュールしうる。
【００６６】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６７】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００６８】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６９】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００７０】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【００７１】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、出願当初の特許請求の範囲に記載された発明を付記する。
［Ｃ１］
無線通信のための方法であって、
サブフレームのセットのフォーマットを動的に選択することと、ここで、おのおののサブフレームのフォーマットは、複数のフォーマットから選択される、
前記選択されたフォーマットに基づいて、前記サブフレームのセットで送信することとを備える方法。
［Ｃ２］
前記複数のフォーマットは、少なくとも１つのレギュラー・サブフレーム・フォーマット、または、少なくとも１つのマルチキャスト／ブロードキャスト単一周波数ネットワーク（ＭＢＳＦＮ）サブフレーム・フォーマット、または、少なくとも１つのブランク・サブフレーム・フォーマット、または、少なくとも１つの新たなサブフレーム・フォーマット、または、これらの組み合わせを備える、Ｃ１に記載の方法。
［Ｃ３］
前記少なくとも１つのレギュラー・サブフレーム・フォーマットは、サブフレームの４つのシンボル期間に送信されるセル特定基準信号（ＣＲＳ）を有する第１のレギュラー・サブフレーム・フォーマット、または、サブフレームの６つのシンボル期間に送信されるＣＲＳを有する第２のレギュラー・サブフレーム・フォーマット、または、これら両方を備える、Ｃ２に記載の方法。
［Ｃ４］
前記少なくとも１つのＭＢＳＦＮサブフレーム・フォーマットは、サブフレームの１つのシンボル期間に送信されるセル特定基準信号（ＣＲＳ）を有する第１のＭＢＳＦＮサブフレーム・フォーマット、または、サブフレームの２つのシンボル期間に送信されるＣＲＳを有する第２のＭＢＳＦＮサブフレーム・フォーマット、または、これら両方を備える、Ｃ２に記載の方法。
［Ｃ５］
前記サブフレームのセットのフォーマットを動的に選択することは、サブフレーム毎ベースで、前記サブフレームのセットのフォーマットを選択することを備える、Ｃ１に記載の方法。
［Ｃ６］
前記サブフレームのセットを、第１のユーザ機器（ＵＥ）のため、マルチキャスト／ブロードキャスト単一周波数ネットワーク（ＭＢＳＦＮ）サブフレームとして宣言することと、
前記サブフレームのセットをＭＢＳＦＮサブフレームとして伝送するためにシグナリングを送信することと
をさらに備える、Ｃ１に記載の方法。
［Ｃ７］
前記サブフレームのセットのフォーマットを動的に選択することは、前記選択されたフォーマットを第２のＵＥへ伝送するためにシグナリングを送信することなく、前記第２のユーザのため、サブフレームのセットのフォーマットを動的に選択することを備える、Ｃ６に記載の方法。
［Ｃ８］
前記サブフレームのセットで送信することは、ＭＢＳＦＮサブフレーム・フォーマットに基づいて、前記サブフレームのセットにおけるおのおののサブフレームで、セル特有基準信号（ＣＲＣ）を送信することを備える、Ｃ６に記載の方法。
［Ｃ９］
前記複数のフォーマットは、少なくとも１つのレギュラー・サブフレーム・フォーマットと、少なくとも１つのマルチキャスト／ブロードキャスト単一周波数ネットワーク（ＭＢＳＦＮ）サブフレーム・フォーマットとを備え、
前記サブフレームのセットのフォーマットを動的に選択することは、前記サブフレームのセットにおけるおのおののサブフレームのうち、ＭＢＳＦＮサブフレーム・フォーマットまたはレギュラー・サブフレーム・フォーマットを選択することを備える、Ｃ１に記載の方法。
［Ｃ１０］
前記複数のフォーマットは、少なくとも１つのマルチキャスト／ブロードキャスト単一周波数ネットワーク（ＭＢＳＦＮ）サブフレーム・フォーマットと、少なくとも１つのブランク・サブフレーム・フォーマットとを備え、
前記サブフレームのセットのフォーマットを動的に選択することは、ＭＢＳＦＮサブフレームを受信することを期待しているユーザ機器（ＵＥ）の数、または前記ＵＥのアクティビティ・レベル、またはこれら両方に基づいて、前記サブフレームのセットにおけるおのおののサブフレームのうち、ＭＢＳＦＮサブフレーム・フォーマットまたはブランク・サブフレーム・フォーマットを選択することを備える、Ｃ１に記載の方法。
［Ｃ１１］
前記サブフレームのセットは、第１のユーザ機器（ＵＥ）のため、レギュラー・サブフレームとして指定され、第２のＵＥのため、マルチキャスト／ブロードキャスト単一周波数ネットワーク（ＭＢＳＦＮ）サブフレーム、またはブランク・サブフレーム、または新たなサブフレーム、またはこれらの組み合わせとして設定される、Ｃ１に記載の方法。
［Ｃ１２］
前記サブフレームのセットのフォーマットを動的に選択することは、前記サブフレームのセットにおけるサブフレームを、レギュラー・サブフレームとして再設定することを備える、Ｃ１１に記載の方法。
［Ｃ１３］
第１のＵＥのためのページを受信することと、
前記ページを受信することに応答して、前記サブフレームのセットにおけるサブフレームを、レギュラー・サブフレームとして再設定することと、
前記ページを前記サブフレームで、前記第１のＵＥへ送信することと
をさらに備える、Ｃ１１に記載の方法。
［Ｃ１４］
前記サブフレームのセットにおける各サブフレームの前に、第１のＵＥを不連続受信（ＤＲＸ）モードにすることをさらに備える、Ｃ１１に記載の方法。
［Ｃ１５］
前記サブフレームのセットは、周波数分割デュプレクス（ＦＤＤ）の場合、サブフレーム０、４、５、９のうちの少なくとも１つ、または、時分割デュプレクス（ＴＤＤ）の場合、サブフレーム０、１、５、６のうちの少なくとも１つを含む、Ｃ１１に記載の方法。
［Ｃ１６］
無線通信のための装置であって、
サブフレームのセットのフォーマットを動的に選択する手段と、ここで、おのおののサブフレームのフォーマットは、複数のフォーマットから選択される、
前記選択されたフォーマットに基づいて、前記サブフレームのセットで送信する手段とを備える装置。
［Ｃ１７］
前記複数のフォーマットは、少なくとも１つのレギュラー・サブフレーム・フォーマット、または、少なくとも１つのマルチキャスト／ブロードキャスト単一周波数ネットワーク（ＭＢＳＦＮ）サブフレーム・フォーマット、または、少なくとも１つのブランク・サブフレーム・フォーマット、または、少なくとも１つの新たなサブフレーム・フォーマット、または、これらの組み合わせを備える、Ｃ１６に記載の装置。
［Ｃ１８］
前記サブフレームのセットのフォーマットを動的に選択する手段は、サブフレーム毎ベースで、前記サブフレームのセットのフォーマットを選択する手段を備える、Ｃ１６に記載の装置。
［Ｃ１９］
前記サブフレームのセットを、第１のユーザ機器（ＵＥ）のため、マルチキャスト／ブロードキャスト単一周波数ネットワーク（ＭＢＳＦＮ）サブフレームとして宣言する手段をさらに備え、
前記サブフレームのセットのフォーマットを動的に選択する手段は、第２のＵＥのため、前記サブフレームのセットのフォーマットを動的に選択する手段を備える、Ｃ１６に記載の装置。
［Ｃ２０］
前記サブフレームのセットは、第１のユーザ機器（ＵＥ）のため、レギュラー・サブフレームとして指定され、第２のＵＥのため、マルチキャスト／ブロードキャスト単一周波数ネットワーク（ＭＢＳＦＮ）サブフレーム、またはブランク・サブフレーム、または新たなサブフレーム、またはこれらの組み合わせとして設定される、Ｃ１６に記載の装置。
［Ｃ２１］
無線通信のための装置であって、
サブフレームのセットのフォーマットを動的に選択し、ここで、おのおののサブフレームのフォーマットは、複数のフォーマットから選択される、
前記選択されたフォーマットに基づいて、前記サブフレームのセットで送信する
ように構成された少なくとも１つのプロセッサを備える、装置。
［Ｃ２２］
前記複数のフォーマットは、少なくとも１つのレギュラー・サブフレーム・フォーマット、または、少なくとも１つのマルチキャスト／ブロードキャスト単一周波数ネットワーク（ＭＢＳＦＮ）サブフレーム・フォーマット、または、少なくとも１つのブランク・サブフレーム・フォーマット、または、少なくとも１つの新たなサブフレーム・フォーマット、または、これらの組み合わせを備える、Ｃ２１に記載の装置。
［Ｃ２３］
前記少なくとも１つのプロセッサは、サブフレーム毎ベースで、前記サブフレームのセットのフォーマットを選択するように構成された、Ｃ２１に記載の装置。
［Ｃ２４］
前記少なくとも１つのプロセッサは、前記サブフレームのセットを、第１のユーザ機器（ＵＥ）のため、マルチキャスト／ブロードキャスト単一周波数ネットワーク（ＭＢＳＦＮ）サブフレームとして宣言し、第２のＵＥのため、前記サブフレームのセットのフォーマットを動的に選択するように構成された、Ｃ２１に記載の装置。
［Ｃ２５］
前記サブフレームのセットは、第１のユーザ機器（ＵＥ）のため、レギュラー・サブフレームとして指定され、第２のＵＥのため、マルチキャスト／ブロードキャスト単一周波数ネットワーク（ＭＢＳＦＮ）サブフレーム、またはブランク・サブフレーム、または新たなサブフレーム、またはこれらの組み合わせとして設定される、Ｃ２１に記載の装置。
［Ｃ２６］
コンピュータ・プログラム製品であって、
少なくとも１つのコンピュータに対して、サブフレームのセットのフォーマットを動的に選択させるためのコードと、ここで、おのおののサブフレームのフォーマットは、複数のフォーマットから選択される、
前記少なくとも１つのコンピュータに対して、前記選択されたフォーマットに基づいて、前記サブフレームのセットで送信させるためのコードと、
を備えるコンピュータ読取可能媒体を備える、コンピュータ・プログラム製品。
［Ｃ２７］
無線通信のための方法であって、
複数のフォーマットから動的に選択されたフォーマットを有するサブフレームを受信することと、
前記サブフレームで送信された少なくとも１つの送信を復元するために、前記複数のフォーマットのうちの少なくとも１つに基づいて、前記サブフレームを処理することと
を備える方法。
［Ｃ２８］
前記複数のフォーマットは、少なくとも１つのレギュラー・サブフレーム・フォーマット、または、少なくとも１つのマルチキャスト／ブロードキャスト単一周波数ネットワーク（ＭＢＳＦＮ）サブフレーム・フォーマット、または、少なくとも１つのブランク・サブフレーム・フォーマット、または、少なくとも１つの新たなサブフレーム・フォーマット、または、これらの組み合わせを備える、Ｃ２７に記載の方法。
［Ｃ２９］
前記サブフレームは、第１のユーザ機器（ＵＥ）のため、マルチキャスト／ブロードキャスト単一周波数ネットワーク（ＭＢＳＦＮ）サブフレームとして宣言され、第２のＵＥのため、動的に設定可能である、Ｃ２７に記載の方法。
［Ｃ３０］
前記サブフレームは、第１のユーザ機器（ＵＥ）のため、レギュラー・サブフレームとして指定され、第２のＵＥのため、マルチキャスト／ブロードキャスト単一周波数ネットワーク（ＭＢＳＦＮ）サブフレーム、またはブランク・ブフレーム、または新たなサブフレームとして設定される、Ｃ２７に記載の方法。
［Ｃ３１］
前記サブフレームのフォーマットを示すシグナリングを受信しないことをさらに備える、Ｃ２７に記載の方法。
［Ｃ３２］
前記サブフレームを処理することは、
一度に、前記複数のフォーマットのうちの１つに基づいて、前記サブフレームを処理することと、
前記少なくとも１つの送信が前記サブフレームから復元された場合、前記サブフレームの処理を終了させることと
を備える、Ｃ２７に記載の方法。
［Ｃ３３］
前記サブフレームを処理することは、
ユーザ機器（ＵＥ）のためのダウンリンク許可を検出するために、前記サブフレームの第１の部分を処理することと、
前記サブフレームの第１の部分から取得された場合、前記ダウンリンク許可に基づいて、前記サブフレームの第２の部分を処理することと、
前記ダウンリンク許可が、前記サブフレームの第１の部分から取得されない場合、前記サブフレームの第２の部分をスキップすることと
を備える、Ｃ２７に記載の方法。
［Ｃ３４］
無線通信のための装置であって、
複数のフォーマットから動的に選択されたフォーマットを有するサブフレームを受信する手段と、
前記サブフレームで送信された少なくとも１つの送信を復元するために、前記複数のフォーマットのうちの少なくとも１つに基づいて、前記サブフレームを処理する手段と
を備える装置。
［Ｃ３５］
前記サブフレームを処理する手段は、
一度に、前記複数のフォーマットのうちの１つに基づいて、前記サブフレームを処理する手段と、
前記少なくとも１つの送信が前記サブフレームから復元された場合、前記サブフレームの処理を終了させる手段と
をさらに備える、Ｃ３４に記載の装置。
［Ｃ３６］
前記サブフレームを処理する手段は、
ユーザ機器（ＵＥ）のためのダウンリンク許可を検出するために、前記サブフレームの第１の部分を処理する手段と、
前記サブフレームの第１の部分から取得された場合、前記ダウンリンク許可に基づいて、前記サブフレームの第２の部分を処理する手段と、
前記ダウンリンク許可が、前記サブフレームの第１の部分から取得されない場合、前記サブフレームの第２の部分をスキップする手段と
を備える、Ｃ３４に記載の装置。
［Ｃ３７］
無線通信のための装置であって、
複数のフォーマットから動的に選択されたフォーマットを有するサブフレームを受信し、
前記サブフレームで送信された少なくとも１つの送信を復元するために、前記複数のフォーマットのうちの少なくとも１つに基づいて、前記サブフレームを処理する
ように構成された少なくとも１つのプロセッサを備える、装置。
［Ｃ３８］
コンピュータ・プログラム製品であって、
少なくとも１つのコンピュータに対して、複数のフォーマットから動的に選択されたフォーマットを有するサブフレームを受信させるためのコードと、
前記少なくとも１つのコンピュータに対して、前記サブフレームで送信された少なくとも１つの送信を復元するために、前記複数のフォーマットのうちの少なくとも１つに基づいて、前記サブフレームを処理させるためのコードと
を備えるコンピュータ読取可能媒体を備える、コンピュータ・プログラム製品。
【図１】
0005485381.tif 000002
【図２】
0005485381.tif 000003
【図３】
0005485381.tif 000004
【図４】
0005485381.tif 000005
【図５】
0005485381.tif 000006
【図６】
0005485381.tif 000007
【図７】
0005485381.tif 000008
【図８】
0005485381.tif 000009
【図９】
0005485381.tif 000010
【図１０】
0005485381.tif 000011
【図１１】
0005485381.tif 000012